【事件の表示】
　特許第６４３９１０８号発明「電子システム及びプログラム」の特許異議申立事件について、次のとおり決定する。
【結　論】
　特許第６４３９１０８号の特許請求の範囲を訂正請求書に添付された訂正特許請求の範囲のとおり、訂正後の請求項〔１〜８〕について訂正することを認める。 
　特許第６４３９１０８号の請求項１ないし８に係る特許を維持する。
【理　由】
第１　手続の経緯  
　特許第６４３９１０８号の請求項１ないし８の特許に係る出願は、平成２３年３月１６日に出願された特願２０１１−５７４６７号の一部を平成２７年９月２日に新たな特許出願とした特願２０１５−１７２４９５号の一部を平成２８年８月１６日に新たな特許出願としたものであって、平成３０年１１月３０日にその特許権の設定登録がされ、平成３０年１２月１９日に特許掲載公報が発行された。その後、その特許に対し、令和元年６月１８日に特許異議申立人西口豊美（以下「異議申立人」という。）により特許異議の申立てがされ、令和元年１０月７日付けで取消理由が通知され、その指定期間内である令和元年１２月４日に特許権者から訂正の請求及び意見書の提出がされ、その訂正の請求に対して異議申立人から令和２年２月１８日付け意見書が提出され、令和２年３月３０日付けで取消理由＜決定の予告＞が通知され、その指定期間内である令和２年５月２５日に特許権者から意見書の提出がされ、その意見書について、令和２年７月１４日付けで異議申立人に対し審尋がされ、この審尋に対して異議申立人から令和２年８月１１日付け回答書が提出されたものである。 
　
第２　訂正の適否についての判断 
１．訂正の内容  
　令和元年１２月４日の訂正の請求（以下「本件訂正請求」という。）の内容は以下のとおりである。 
（１）訂正事項１　  
　特許権者は、訂正前の特許請求の範囲の請求項１に、
「車両において取得した情報をオブジェクトに表示させる機能を備えたシステムであって、
　車両において取得した情報を表示させるメーターオブジェクトを内部に表示可能な相互に同一又は類似形状の外郭を複数備え、当該複数の外郭内間で異なる種類のメーターオブジェクトを表示する待ち受け画面を複数備え、当該複数の待ち受け画面からユーザによって１種類の待ち受け画面を選択させる第一の選択機能と、
　当該待ち受け画面内に表示する前記外郭の数よりも多い数の種類のメーターオブジェクトから前記待ち受け画面内の外郭内に表示する前記メーターオブジェクトを選択させる第二の選択機能の、二重の選択機能を備えること
　を特徴とするシステム。」とあるのを、
「車両において取得した情報を
相互に同一又は類似形状の外郭を有するメーター
　車両において取得した情報を表示させる
前記
領域
領域
前記
　当該待ち受け画面内に表示する前記
領域
前記
前記領域
　を特徴とするシステム。」に訂正する（請求項１の記載を引用する請求項２ないし８も同様に訂正する。）ことを請求する。（下線部は、訂正箇所を特許権者が付したものである。） 
　
２．訂正事項１の適否について 
（１）一群の請求項について　 
　本件訂正前の請求項２ないし８は、いずれも訂正前の請求項１を直接的または間接的に引用するものであるから、訂正前の請求項２ないし８は、訂正事項によって訂正される請求項１に連動して訂正されるものである。 
　したがって、訂正前の請求項１及び同請求項１を直接又は間接的に引用する請求項２ないし８は、特許法第１２０条の５第４項に規定される一群の請求項である。 
　よって、訂正事項１の訂正は、当該一群の請求項〔１〜８〕に対し請求されたものである。 
　
（２）訂正の目的の適否、新規事項の有無及び特許請求の範囲の拡張・変更の存否 
　ア　訂正の目的の適否 
　訂正前の請求項１の「オブジェクト」を「メーターオブジェクト」とする訂正は、オブジェクトの種類を明確にするものである。 
　また、訂正前の請求項１の「メーターオブジェクト」について、「相互に同一又は類似形状の外郭を有する」と限定する訂正は、メーターオブジェクトと外郭との関係を明確にするものであり、この明確化にともない訂正前の「待ち受け画面」の「外郭」を「領域」とする訂正は、メーターオブジェクトと待ち受け画面との関係を明確にするものである。 
　同様に、訂正後の請求項２ないし８は、訂正後の請求項１の記載を引用することにより、訂正後の請求項２ないし８に係る発明を明確にするものである。 
　したがって、訂正事項１による訂正は、特許法第１２０条の５第２項ただし書き第三号に掲げる明瞭でない記載の釈明を目的とするものである。 
　
　イ　新規事項の有無 
（ア）訂正前の請求項１の「メーターオブジェクト」が「相互に同一又は類似形状の外郭を有する」点に関して、本件特許明細書には次の記載がある。 
「【００１４】 
　第１０の手段では第８又は第９のいずれかの手段に加えて、
前記メーターオブジェクトの外郭は相互に同一又は類似形状で
　このような構成では、
複数のメーターオブジェクトが画面に表示される場合には異なる運転情報を表示するものであっても同サイズで表示されることとなる。画面サイズは変わらないので画面に表示されるメーターオブジェクトが増えれば一画面に収めるためにメーターオブジェクトのサイズは徐々に小さく表示されることとなる。
「【００２９】 
　図５（ａ）に示すように、複数の運転情報として５種類の燃費（瞬間燃費、今回燃費、全道路平均燃費、高速道平均燃費、一般道平均燃費）と冷却水温度の変化に応じた変動表示をさせるための第１のメーターオブジェクト４０が用意されている。つまり、第１のメーターオブジェクト４０は１つで複数の運転情報を表示させることができるオブジェクトである。第１のメーターオブジェクト４０のディスプレイ部１４で実際に展開される表示画像は図９（ａ）である（但し、白黒表示で彩度は現れていない。以下同様）。 
　
第１のメーターオブジェクト４０は、円形の包囲リング４１を外郭として有している。
る。」 
　上記記載には、「メーターオブジェクト」が「相互に同一又は類似形状の外郭を有する」ことが記載されている。 
　
（イ）「待ち受け画面」の複数の「領域」に関して、明細書及び図面には次の記載がある。 
「【００４１】 
　次に、
本実施の形態で用意されている待ち受け画面のための待ち受け用画像の構成について説明する。
　図１２〜図１５は待ち受け用画像Ｐ１にこれらオブジェクトを組み合わせて作成された待ち受け画面である。
図１２は第２、第５及び第６のメーターオブジェクト４５，５１，５５と組み合わされ、
　
待ち受け用画像Ｐ１の画面上部領域には横方向に一列に時刻オブジェクト７５、各種ステータスアイコン７６、速度オブジェクト７７、コンパスアイコン７８が配置されている。
画面の下部領域には無線文字警報表示スペース７９が設けられている（図上二点鎖線で囲まれた領域）。
【００４２】 
　
ここに図２（当審注：図２は図１２の誤記）のように３種類のオブジェクトを表示させる場合の表示態様は横方向に同じ外形サイズで一列に配置される。選択されたオブジェクトが第１〜第７のメーターオブジェクト４０，４５，４７，４９，５１，５５、５８であれば、いずれも包囲リング４１の外形寸法のまったく同じ状態でいわゆる「３連メーター風」に表示されることとなる。 
　
待ち受け用画像Ｐ１に３種類を選択的に表示させる場合にはどのような運転情報を表示させているかをユーザーに伝えるために、コントローラＭＣは運転情報表示領域８０（図上二点鎖線で囲まれた領域）
　図１２〜図１５のディスプレイ部１４で実際に展開される表示画像は図１８〜図２１である。」
　 
　上記の段落【００４１】及び【００４２】の記載を踏まえ、【図１２】をみると、待ち受け用画像Ｐ１の横方向に一列に時刻オブジェクト７５、各種ステータスアイコン７６、速度オブジェクト７７、コンパスアイコン７８が配置された画面上部領域と、運転情報表示領域８０及び無線情報刑法表示スペースが設けられた画面の下部領域との間に、３つのメーターオブジェクトを表示している領域が看取できる。 
　したがって、「待ち受け画面」の複数の「領域」は、上記記載事項及び図面の図示内容の範囲内のものである。 
 　 
ウ　実質上特許請求の範囲の拡張・変更の存否 
　訂正事項１は、上記（１）のとおり、明瞭でない記載の釈明を目的とするものであり、カテゴリーや対象、目的を変更するものではないから、実質上特許請求の範囲を拡張し、又は変更する訂正ではない。 
　また訂正事項１は、訂正前の請求項１を引用する訂正前の請求項２ないし８についても実質的に訂正するものではあるが、訂正前の請求項２ないし８との関係において、カテゴリーや対象、目的を変更するものではないから、実質上特許請求の範囲を拡張し、又は変更する訂正ではない。 
　
エ　令和２年２月１８日付け意見書における異議申立人の意見について
　異議申立人は、上記意見書で、訂正事項１による訂正は、（ア）特許請求の範囲の減縮を目的としたものではなく、その技術的範囲を変更するものであり（以下、「主張１」という。）、（イ）願書に添付した明細書、特許請求の範囲又は図面に記載した事項の範囲内においてしたものではない（以下、「主張２」という。）旨を主張するが、以下に示すように、これら主張は、いずれも当を得たものではないから、採用できない。
（ア）主張１について
　異議申立人は、一般的に「外部を囲むかこい」を意味する「外郭」なる語句を、「領有している区域」等を意味する「領域」なる語句に訂正することを含む訂正事項１による訂正は、特許請求の範囲の減縮を目的としたものではなく、その技術的範囲を変更するものである旨を主張する。
　しかし、特許法第１２０条の５第１項は、そのただし書において、訂正は、特許請求の範囲の減縮（同項第１号）、誤記又は誤訳の訂正（同項第２号）、明瞭でない記載の釈明（同項第３号）を目的とするものに限る旨を規定するところ、上記（２）ア及びウで示したとおり、訂正事項１による訂正は、特許法第１２０条の５第２項ただし書き第三号に掲げる明瞭でない記載の釈明を目的とするものであり、また、カテゴリーや対象、目的を変更するものではなく、実質上特許請求の範囲を拡張し、又は変更する訂正ではないから、主張１は当を得たものではない。
（イ）主張２について
　異議申立人は、訂正事項１による訂正は、特許請求の範囲の請求項１に係る発明の技術的範囲を「メーターオブジェクト」に係るものに限定していることを踏まえると、願書に添付した明細書、特許請求の範囲又は図面に記載した事項の範囲内においてしたものではない旨を主張する。
　しかし、上記（２）イ（ア）で示したとおり、訂正前の請求項１の「メーターオブジェクト」が「相互に同一又は類似形状の外郭を有する」点は、本件特許明細書の段落【００１４】及び【００２９】に記載されており、また、上記（２）イ（イ）で示したとおり、「待ち受け画面」の複数の「領域」については、本件特許明細書の段落【００４１】及び【００４２】に記載されているから、主張２も当を得たものではない。
　
（３）小括  
　以上のとおりであるから、本件訂正請求による訂正は、特許法第１２０条の５第２項ただし書第３号に掲げる事項を目的とするものであり、かつ、同条第４項、及び同条第９項において準用する同法第１２６条第５項及び第６項の規定に適合するものであるから、特許請求の範囲を、訂正請求書に添付された特許請求の範囲のとおり、訂正後の請求項〔１〜８〕について訂正することを認める。 
  
第３　特許異議の申立てについて
１．本件発明について  
　特許第６４３９１０８号の請求項１ないし８に係る発明（以下、「本件発明１」ないし「本件発明８」という。）は、本件訂正請求により訂正された訂正後の特許請求の範囲の請求項１ないし８に記載された次の事項により特定されるものである。 
「【請求項１】 
　車両において取得した情報を相互に同一又は類似形状の外郭を有するメーターオブジェクトに表示させる機能を備えたシステムであって、 
　車両において取得した情報を表示させる前記メーターオブジェクトを内部に表示可能な領域を複数備え、当該複数の領域内間で異なる種類の前記メーターオブジェクトを表示する待ち受け画面を複数備え、当該複数の待ち受け画面からユーザによって１種類の待ち受け画面を選択させる第一の選択機能と、
　当該待ち受け画面内に表示する前記領域の数よりも多い数の種類の前記メーターオブジェクトから前記待ち受け画面内の前記領域内に表示する前記メーターオブジェクトを選択させる第二の選択機能の、二重の選択機能を備えること 
　を特徴とするシステム。 
【請求項２】 
　前記メーターオブジェクトとして、当該メーターオブジェクト１つで複数の取得した情報を表示させるメーターオブジェクトを備えること 
　を特徴とする請求項１に記載のシステム。 
【請求項３】 
　前記メーターオブジェクトとして、当該メーターオブジェクトの内部領域を上下に二分割して表示するメーターオブジェクトを備えること 
　を特徴とする請求項１または２に記載のシステム。 
【請求項４】 
　前記メーターオブジェクトとして、扇状の窓孔状の表示部を備え、当該扇状の周方向に沿って小さく分割された小扇状形状の指標オブジェクトを取得した情報の変化に応じて増減させることで背景に対して色の異なる面積を変化させるよう変動表示をさせるメーターオブジェクトを備えること 
　を特徴とする請求項１から３のいずれかに記載のシステム。 
【請求項５】 
　前記メーターオブジェクトとして、取得した情報に基づいて所定の距離の変化とその間の燃費の変化の２つの情報について数値として変動表示をさせるためのメーターオブジェクトを備えること 
を特徴とする請求項１から４のいずれかに記載のシステム。 
【請求項６】 
　前記複数の種類の待ち受け画面として、取得した現在の情報をその項目名と数値の組で表示し前記メーターオブジェクトの表示はしない待ち受け画面と、前記メーターオブジェクトを有する待ち受け画面とを備えること 
　を特徴とする請求項１から５のいずれかに記載のシステム。 
【請求項７】 
　前記複数の種類の待ち受け画面として、取得した現在の情報をグラフで表示する待ち受け画面と、前記メーターオブジェクトを有する待ち受け画面とを備えること 
　を特徴とする請求項１から６のいずれかに記載のシステム。 
【請求項８】 
　請求項１から７のいずれかに記載のシステムの機能をコンピュータに実現させるためのプログラム。」 
　
２．取消理由の概要
　令和元年１０月７日付けで通知した取消理由及び令和２年３月３０日付けで通知した取消理由＜決定の予告＞の概要は以下のとおりである。
（１）（サポート要件）本件特許出願は、特許請求の範囲の記載が、特許法第３６条第６項第１号に規定する要件を満たしていないから、本件特許は、前記要件を満たしていない特許出願に対してなされたものである。
　
（２）（明確性要件）本件特許出願は、特許請求の範囲の記載が、特許法第３６条第６項第２号に規定する要件を満たしていないから、本件特許は、前記要件を満たしていない特許出願に対してなされたものである。
　
（３）（進歩性要件）本件発明１ないし８は、その原出願日前に日本国内又は外国において、頒布された刊行物に記載された発明又は電気通信回線を通じて公衆に利用可能となった発明に基いて、その原出願日前にその発明の属する技術の分野における通常の知識を有する者（以下、「当業者」という。）が容易に発明をすることができたものであるから、本件特許は、特許法第２９条第２項の規定に違反してなされたものである。
　
３．通知した取消理由についての判断 
（１）特許法第３６条第６項第１号（サポート要件）について 
　本件発明１において、本件訂正請求前の「車両において取得した情報を表示させるメーターオブジェクトを内部に表示可能な相互に同一又は類似形状の外郭を複数備え、当該複数の外郭内間で異なる種類のメーターオブジェクトを表示する待ち受け画面を複数備え、」との記載は、「車両において取得した情報を表示させる前記メーターオブジェクトを内部に表示可能な領域を複数備え、当該複数の領域内間で異なる種類のメーターオブジェクトを表示する待ち受け画面を複数備え、」との記載に訂正されたところ、この訂正された記載に関連し、明細書の発明の詳細な説明には、特に「複数備え、」に関し次の記載がある。 
  
「【００４６】 
　本発明を、以下のように具体化して実施してもよい。 
・上記実施の形態では「マルチメーター選択」によって３種類の運転情報に応じたオブジェクトを選択するようになっていたが、例えば２種類でも、４種類以上であっても構わない。
・上記実施の形態では「マルチメーター選択」によって待ち受け画面上に表示された３種類オブジェクトの外形サイズは各メーターオブジェクトでは同じ大きさで現されていたが、例えば同じでなく主となるメーターオブジェクトだけを大きく表示することも可能である。
・上記実施の形態では「マルチメーター選択」によって１２種類の運転情報に対応したオブジェクトからオブジェクトを選択するようになっていたが、これら以外に例えばＧＰＳ測位によってのみ取得できる運転情報を選択させるように、車両診断用コネクタ２２以外から取得した運転情報を選択対象としてもよい。逆にメーターオブジェクトからのみ選択できるようにしてもよい。また、運転情報としては上記実施の形態で挙げた以外の運転情報を採用してもよい。
・上記実施の形態では待ち受け用画像Ｐ１によって４種類の待ち受け画面が作成されることとなっていたが、これら４種類以外の待ち受け画面を作成することも自由である。
・上記実施の形態ではグラフオブジェクト６１とエンジンオブジェクト６５は図１２のような複数のメーターオブジェクトとの組み合わせはなく、単独での変動表示部として表示させていたが、これらもメーターオブジェクトとともに図１２のように他のメーターオブジェクトに代わって同時に表示される複数の変動表示部としてもよい。
　但し、グラフオブジェクト６１を単独で待ち受け画面に表示させた場合はよいが、「マルチメーター選択」によって３種類のうちの１つとして選択した場合にはかなり小さくなってしまう。そのため、「マルチメーター選択」によって選択される場合にはグラフオブジェクト６１の全体ではなく、現在の地点を含む狭い領域のみを表示させるようにすることがより好ましい。 
・グラフオブジェクト６１は上記実施の形態では縦軸を速度とし、横軸をエンジン回転数としたが、これに限られるものではない。縦軸を燃料流量とし、横軸を運転時間としたり、縦軸をエンジン負荷率とし、横軸をエンジン回転数とするなど、相関関係のある情報同士であれば適宜組み合わせることは自由である。 
・グラフオブジェクト６１上における現在位置の表現手法として上記では現在位置指示ライン６２ａ，６２ｂの交差位置Ｐを使用したが、例えば、現在位置を過去の履歴の光点と色を変えたり、画素数を多くして大きく表現するなどの他の手法で示すようにしてもよい。 
・上記実施の形態ではグラフオブジェクト６１上に１秒ごとに取得した車速とエンジン回転数をプロットさせるようにしたが、他のタイミングであってもよい。但し、運転情報の変動を的確に視認できる時間間隔が望ましい。 
・グラフオブジェクト６１上の履歴は上記実施の形態では５００点以上は過去のものから消去させていたが、画面の大きさや１光点あたりの占める画素数に応じて適宜変更することは自由である。 
・グラフオブジェクト６１上の履歴について、上記のように同時に存在する個数を限定するのではなく１つの点の画面上の存在時間を限定して（例えば５分〜１０分程度）で過去の履歴を消去させるようにしてもよい。 
・グラフオブジェクト６１における運転状況のスケールアップは上記実施の形態では２段階であったが、それ以上の多段階でスケールアップあるいはスケールダウンさせるように設定してもよい。このように段階的なスケールアップあるいはスケールダウンのほうが頻繁にスケールが変わらずに見やすくて好ましいが、無段階にスケールアップあるいはスケールダウンさせるような表示も可能である。 
・ 上記グラフオブジェクト６１での履歴はマニュアル、ＡＴ車を問わず変速機構のある車両用の一例として示したが、連続可変トランスミッション（Continuously Variable Transmission：ＣＶＴ）のように変速比を連続的に変化させるようなトランスミッションを備えた車両についても同様に履歴を取得することが可能である。 
・ 上記実施の形態ではエンジンオブジェクト６５のピストンオブジェクト６７の色を変化させてエンジン負荷率を表現していたが、ピストンオブジェクト６７以外の部分の色を変化させるようにしてもよい。 
・上記実施の形態のエンジンオブジェクト６５ではエンジン回転数の変化をピストンオブジェクト６７とインペラオブジェクト７０で表現するようにしていたが、その他の車両の特定部位、例えばクランクシャフトの回転速度変化、吸排気バルブオブジェクトの往復動の速度変化、その他カムやカムシャフト、タイヤの回転度変化に適用するようにしてもよい。 
・本発明はその趣旨を逸脱しない範囲において変更した態様で実施することは自由である。」 
　
　そうすると、【図１２】ないし【図１４】の４種類の待ち受け画面について、「上記実施の形態では『マルチメーター選択』によって３種類の運転情報に応じたオブジェクトを選択するようになっていたが、例えば２種類でも、４種類以上であっても構わない。」及び「上記実施の形態では待ち受け用画像Ｐ１によって４種類の待ち受け画面が作成されることとなっていたが、これら４種類以外の待ち受け画面を作成することも自由である。」との記載を併せてみれば、「車両において取得した情報を表示させる前記メーターオブジェクトを内部に表示可能な領域を複数備え、当該複数の領域内間で異なる種類のメーターオブジェクトを表示する待ち受け画面を
複数備え、
　ゆえに、本件発明１ないし８は、発明の詳細な説明に記載したものである。
　
　したがって、本件発明１ないし８に係る特許は、特許法第３６条第６項第１号に規定する要件を満たしているものであるから、同法第１１３条第４号の規定に該当することを理由に取り消されるべきものとすることはできない。
　
（２）特許法第３６条第６項第２号（明確性要件）について
　本件発明１において、本件訂正請求前の「車両において取得した情報をオブジェクトに表示させる機能を備えたシステムであって」との記載は、「車両において取得した情報を相互に同一又は類似形状の外郭を有するメーターオブジェクトに表示させる機能を備えたシステムであって」との記載に訂正されたため、本件訂正請求前は不明確であった「オブジェクト」が包含するものが、本件発明１では「メータオブジェクト」であることが明確となった。
　さらに、本件発明１において、本件訂正請求前の「車両において取得した情報を表示させるメーターオブジェクトを内部に表示可能な相互に同一又は類似形状の外郭を複数備え、当該複数の外郭内間で異なる種類のメーターオブジェクトを表示する待ち受け画面」との記載は、「車両において取得した情報を表示させる前記メーターオブジェクトを内部に表示可能な領域を複数備え、当該複数の領域内間で異なる種類の前記メーターオブジェクトを表示する待ち受け画面」との記載に訂正されたため、本件訂正請求前は不明確であった「メータオブジェクト」と「外郭」との相互関係についても、明確となった。
　ゆえに、本件発明１に係る請求項１の記載は明確であり、請求項１を直接的または間接的に引用する本件発明２ないし６も明確である。
　
　したがって、本件発明１ないし８に係る特許は、特許法第３６条第６項第２号に規定する要件を満たしているものであるから、同法第１１３条第４号の規定に該当することを理由に取り消されるべきものとすることはできない。
　
（３）特許法第２９条第２項（進歩性要件）について
（３−１）取消理由通知＜決定の予告＞で引用した甲第２号証ないし甲第５号証の記載 
　ア　甲第２号証（特開２００５−８８６７３号公報 ）の記載 
　甲第２号証には、「ディスプレイを備えた車両用計器、そのディスプレイに表示される画像の提供方法、およびその提供装置」に関し、図面とともに、次の記載がある。（なお、下線は当審で付した。） 
（ア）「【０００５】  
　しかし、従来のディスプレイを有する車両用計器１においては、ディスプレイ５に表示される画像はあらかじめ登録されている画像しか表示されず、表示されている画像は必ずしもユーザ好みの画像ではなかった。 
【０００６】  
　本発明は、上記点に鑑み、ディスプレイにユーザの希望に沿った画像を表示することができる車両用計器を提供することを目的とする。」 
（イ）「【００１２】  
　また、請求項４に示すように、
ディスプレイ（５）（１１ａ、１１ｂ、１２ａ、１２ｂ、１３ａ、１３ｂ）にスピードメータ、タコメータ、フューエルゲージ等の計器部の画像を表示させることもできる。このような車両用計器では、ディスプレイに表示する背景画像だけでなく、さらに計器部の形状もユーザの好みのものに変更することができる。
（ウ）「【００２１】  
（第１実施形態）  
　図１に本実施形態における車両用計器１の正面図を示す。なお、これらの図では、図６、７に示す車両用計器１と同様の構成部には、それらと同一の符号を付している。 
【００２２】  
　この車両用計器１は、
図１に示すように、計器盤２と、計器盤２に設置されたディスプレイ５と、ディスプレイ５と接続されている図示しない制御部とを有した構成となっており、ディスプレイ５にスピードメータ、タコメータ、燃料計、水温計等の計器部１１ａ、１１ｂ、１２ａ、１２ｂ、１３ａ、１３ｂが表示されるようになっている。
【００２３】  
　ディスプレイ５は、例えばＴＦＴ（薄膜トランジスタ）液晶モニタ、有機ＥＬ表示モニタ等である。 
【００２４】  
　制御部は、ＣＰＵや記憶手段としてのＲＯＭ、ＲＡＭ等を有している。この制御部に表示用画像のデータが記憶されており、この制御部により、記憶されているデータに基づいてディスプレイ５に画像が表示される。 
【００２５】  
　また、制御部は、外部からデータが入力される入力部を有しており、車両外部の機器（例えば、後述するサーバ２１）と、直接もしくは車両自体が有する通信手段とを介して、接続されることで、車両用計器の外部から画像データが入力されるようになっている。そして、制御部は、あらかじめ記憶されている画像データを外部から入力された画像データに書き換えることができる。 
【００２６】  
　このような構成の車両用計器１は、車両用計器１の外部から画像データを受信し、制御部で、あらかじめ記憶されている画像データを受信した新たな画像データに書き換えることで、ディスプレイ５に新たな画像を表示できるようになっている。また、
記憶手段に変更用画像をいくつか記憶できるようになっており、ユーザがこの変更用画像の中から任意に選択することで、選択した画像がディスプレイ５に表示されるようになっている。
【００２７】  
　これにより、本実施形態では、
ディスプレイ５に表示される情報の表示のさせ方を変更することができる。すなわち、図１の左側に示すスピード、燃料、水温等を表示するアナログメータ１１ａ、１２ａ、１３ａを、図１の右側に示すデジタルメータ１１ｂ、１２ｂ、１３ｂに変更したり、その反対に、デジタルメータ１１ｂ、１２ｂ、１３ｂをアナログメータ１１ａ、１２ａ、１３ａに変更したりすることができる。
【００２８】  
　また、
図１の左側に示すように、スピードメータ、タコメータ、燃料計、水温計等の計器部（メータ）の表示される数を４つ（図１の左側）から、３つ（図１の右側）に変更することもできる。このようにメータの構成を変更したり
【００２９】  
　この結果、本実施形態では、このようにディスプレイ５に表示される表示内容（画像）を変更することができるので、ディスプレイ５にユーザの希望に沿った画像を表示することができる。したがって、ユーザに対して、高い満足度を提供することができる。」 
（エ）「【００３２】  
サーバ２１は、サービスの提供者である車両用計器メーカや車両販売店等が用いる装置である。サーバ２１は、記憶手段としてのデータベースを備えており、このデータベースに種々のメータの意匠が記憶されている。具体的には、
３眼、４眼等のメータ構成
（オ）「【００４０】  
　図３に示すように、ステップ３１では、ユーザがユーザ端末２２を使用して、サーバ２１に接続する。すなわち、ユーザ端末２２からサーバ２１に対して、ホームページのメインメニューが要求される。 
【００４１】  
　これを受けて、ステップ４１で、サーバ２１からユーザ端末２２に対してメインメニューが送信される。これにより、ユーザ端末２２にメインメニュー画面が表示される。 
【００４２】  
　ユーザは、
ユーザ端末２２に表示されたメインメニューからメータ構成の選択画面を選択する。これにより、ステップ３２で、ユーザ端末２２からサーバ２１に対してメータ構成の選択画面が要求される。
【００４３】  
　
これを受けて、ステップ４２で、メータ構成の選択画面がサーバ２１からユーザ端末２２に向けて送信される。すなわち、メータの構成を示す画像の一覧表が送信される。これにより、ユーザ端末２２にメータ構成の選択画面が表示される。このとき、この選択画面には、メータ構成、すなわち、スピードメータ等のメータの数、各メータの表示方法（デジタル式、アナログ式）、各メータの形態（形状等）の選択肢が表示されている。例えば、これらが組み合わされた種々のメータ構成パターンが用意されており、この中からユーザが任意で選択できるようになっている。 
【００４４】  
　
ユーザは、この種々のメータ構成パターンの中から、自分が希望するメータ構成パターンを選び出し、
【００４５】  
　
続いて、ユーザは、メータの目盛り、指針、書体、配色、背景等の各構成要素の選択を行うため、ユーザ端末２２でその画面を選択する。これにより、ステップ３４で、ユーザ端末２２からサーバ２１に向けて各構成要素の選択画面が要求される。
【００４６】  
　これを受けて、ステップ４３で、サーバ２１からユーザ端末２２に向けて、選択可能な各構成要素の選択画面が送信される。すなわち、選択可能な各構成要素を示す画像の一覧表が送信される。 
【００４７】  
　このとき、送信される各構成要素の画像は、サーバ２１が、メータ構成パターンの選択結果を受けて、その選択されたメータ構成パターンに応じて、データベースの中から抽出したものである。この抽出された画像は、各構成要素を組み合わせた後において、メータの視認性が良好なもの（低くならないもの）である。 
【００４８】  
　ステップ３５では、ユーザ端末２２に各構成要素の選択画面が表示されるので、ユーザ端末２２に表示された各構成要素をそれぞれ選択する処理を行う。」 
（カ）「【００６０】 
　
図１に示す車両用計器においては、ディスプレイ５に表示される内容（メータ等）を任意に変更できるようになっている。
（キ）　
図１には、計器部１１ａ、１２ａ、１３ａは、２つの大きな円形状（１１ａ）及び２つの小さな円形状（１２ａ、１３ａ）の輪郭を、また、計器部１１ｂ、１２ｂ、１３ｂは、大きな半円形状（１１ｂ）及び２つの長方形状（１２ｂ、１３ｂ）の輪郭を有していることが示されている。
　
　これら記載事項及び図示内容を総合すると、甲第２号証には以下の発明（以下「引用発明」という。）が記載されている。 
「車両のスピードメータ、タコメータ、燃料計、水温計等を、２つの大きな円形状（１１ａ）及び２つの小さな円形状（１２ａ、１３ａ）の輪郭、及び、大きな半円形状（１１ｂ）及び２つの長方形状（１２ｂ、１３ｂ）の輪郭を有する計器部の画像に表示させることができる車両用計器であって、 
　車両のスピードメータ、タコメータ、燃料計、水温計等を表示させる前記計器部の画像を内部に表示させる部分を４つあるいは３つ備え、当該４つあるいは３つの部分内間で異なる種類の計器部の画像を内部に表示する種々のメータ構成パターンを備え、当該種々のメータ構成パターンの中からユーザーが任意に選択でき、 
　上記メータ構成パターンに表示する
メータの目盛り、指針、書体、配色、背景等の各構成要素を
　
イ　甲第３号証（特開２００８−２６８７７０号公報 ）の記載 
　甲第３号証には、「表示装置」に関し、図面（特に図４を参照）とともに、次の記載がある。 
「【００２２】 
　図４（ａ）に示すように、モードＭ１０では、液晶パネル１１は、平均燃費情報１１ａに加えて、当該自動車の累積走行距離情報１１ｂとを表示する。図４（ｂ）に示すように、モードＭ２０では、液晶パネル１１は、走行可能距離情報１１ｃに加えて、当該自動車の累積走行距離情報１１ｂとを表示する。図４（ｃ）に示すように、モードＭ３０では、液晶パネル１１は、外気温情報１１ｄに加えて、当該自動車の累積走行距離情報１１ｂとを表示する。このように、第１操作スイッチ１２を短押しする毎に、液晶パネル１１の表示する情報が切り替えられるが、累積走行距離情報１１ｂは常時表示されるように構成される。」 
　
　上記記載及び図示内容を総合すると、甲第３号証には次の技術事項（以下「甲３記載事項」という。）が記載されている。 
「自動車の表示装置において、平均燃費情報１１ａに加えて、累積可能距離情報１１ｂを、内部領域を上下に２分割して表示する液晶パネル１１。」 
　
ウ　甲第４号証（特開２００９−１０１７４９号公報）の記載 
　甲第４号証には、「車載機、そのメータ表示方法」に関し、図面（特に図８を参照）とともに、次の記載がある。 
（ア）「【０００９】 
　なお、本実施形態は、図８に示すように、扇型の円弧上に目盛りが刻まれたメータ画像３００を表示するものである。メータ画像３００のうち、目盛り３０１が刻まれた、メータの背景部分を「目盛り盤」という。また、扇形である目盛り盤の中心Ｏを「目盛り盤中心」という。また、目盛り３０１に付された値３０２を「目盛り値」という。目盛り値３０２は、時計回り方向に増加するものとする。また、目盛り値の範囲のうちで警戒すべき範囲を示す部分３０４を「警戒ゾーン」という。 
【００１０】 
　また、本実施形態で表示されるメータは、測定値を示すために、目盛り盤上に、「測定値指示画像３０３」を描画する。測定値指示画像３０３は、目盛り盤中心Ｏを中心位置とした所定の幅を備えた円弧状の画像であり、測定値３０５の増加とともに、目盛りの最小値の部分から徐々に時計回り方向に広がる。測定値指示画像３０３と背景画像との境界３０６により、測定値３０５が示される。」 
（イ）図８から、測定値指示画像３０３は、扇状の窓孔状の表示部を有していること、背景画像に対して色の異なる面積を変化させることが看取できる。 
　
　上記記載及び図示内容を総合すると、甲第４号証には次の技術事項（以下「甲４記載事項」という。）が記載されている。 
「車載機において、メータを表示する画像として、扇状の窓孔状の表示部と、測定値３０５の増加とともに、目盛りの最小値の部分から徐々に測定値指示画像３０３を時計回り方向に広げ、背景画像に対して色の異なる面積を変化させること。」 
　
 エ　甲第５号証（特開平９−１８９５７７号公報）の記載 
　甲第５号証には、「車両情報表示装置」に関し、図面（特に図１３、図１６を参照）とともに、次の記載がある。 
「【００６２】
路面温度表示装置６０は、演算部６３で演算した経過的運転データと、赤外線センサ６１が検出した路面温度とを、表示部１６にグラフ表示する（図１２）。このグラフ表示では、縦軸を路面温度、横軸を走行時間（図１３（Ａ））、走行距離（図１３（Ｂ））、気圧（図１３（Ｃ））の各値として表示
【００６３】また、路面温度表示装置６０では、上述の検出路面温度の推移に関する路面凍結の予告警報基準（グラフの傾きや路面温度の値で規定できる）を予め定め、検出路面温度の推移が上記予告警報基準に達したときに路面凍結の予告警報表示を行なうことができる。 
【００６４】従って、本実施形態の路面温度表示モードによれば、下記、の作用がある。 
【００６５】車両走行時に、車両の経過的運転情報（走行時間、走行距離、気圧等）に対する、路面温度の推移が表示される。これにより、乗員は走行環境における路面温度の近い将来の変化を予測することができ、危険予知判断を行なうことができる。 
【００６６】車両の経過的運転情報に対する検出路面温度の傾きや、凍結路面温度等の予告警報基準を予め定めておくことにより、路面凍結の予告警報表示を行なうことができる。 
【００６７】（Ｅ） 
走行抵抗表示モード（図１４〜図１６）
車両情報表示装置１０は、車速を検出する車速センサ７１を有している。そして、制御装置１１は、走行抵抗表示装置７０を構成し、車速と走行抵抗の関係を回帰分析し、この回帰分析結果である走行抵抗表示を表示部１６に表示するとともに、車速センサ７１の検出車速に対応する走行抵抗を表示部１６に表示せしめる。
　
　上記記載及び図示内容を総合すると、甲第５号証には次の技術事項（以下「甲５記載事項」という。）が記載されている。 
「車両情報表示装置において、車速センサの検出車速に対応する走行抵抗をグラフで表示すること。」 
　
（３−２）対比・判断 
　ア　本件発明１について
　本件発明１と引用発明とを対比する。
　まず、本件発明１は、「待ち受け画面」を備えるものであるが、一般に待ち受け画面とは、「携帯電話で、通話などの操作をしていない状態のディスプレーに表示される画面。」（デジタル大辞泉　https://kotobank.jp/word/待受け画面-634574）を意味すること及び本件特許明細書の段落【０００４】の「・・・一方、車両には例えばナビゲーション装置やマイクロ波検出器（レーダー探知機）のような車両用情報表示装置が搭載されることがあり、これら車両用情報表示装置の待ち受け用の画面に車両の運転情報を表示させることが想定される。・・・」との記載を踏まえると、本件発明１の「車両において取得した情報を相互に同一又は類似形状の外郭を有するメーターオブジェクトに表示させる機能を備えたシステム」とは、ナビゲーション装置やマイクロ波検出器（レーダー探知機）のような車両用情報表示装置を対象としたシステムであり、また、本件発明１の「待ち受け画面」とは、前記ナビゲーション装置やマイクロ波検出器（レーダー探知機）のような車両用情報表示装置で、その車両用情報（ナビゲーション情報やレーダー探知情報）の表示に係る操作をしていない状態のディスプレーに表示される画面を意味すると解すべきである。
　一方、引用発明は、「車両のスピードメータ、タコメータ、燃料計、水温計等」といった、車両の運転操作に係る車両情報を表示する「車両用計器」の発明であって、前記「車両のスピードメータ、タコメータ、燃料計、水温計等」は、基本的に常時表示されるものである。
　
　ここで、引用発明の「車両のスピードメータ、タコメータ、燃料計、水温計等」に表示される情報は、その機能・作用及びその技術的意義を踏まえると、本件発明１の「車両において取得した情報」に対応し、同様に、「２つの大きな円形状（１１ａ）及び２つの小さな円形状（１２ａ、１３ａ）の輪郭」は「相互に同一又は類似形状の外郭」に、「計器部の画像」は「メーターオブジェクト」に、「表示させることができる」は「表示させる機能を備えた」に、「表示させる部分」は「表示可能な領域」に、「４つあるいは３つ備え」は「複数備え」にそれぞれ対応する。
　そして、引用発明の「メータ構成パターン」は「異なる種類の計器部の画像を内部に表示する」ものであり、本件発明１の「待ち受け画面」は「異なる種類のメーターオブジェクトを表示する」ものであることを踏まえると、引用発明の「メータ構成パターン」と本件発明１の「待ち受け画面」とは、「画面」という限りにおいて一致する。
　同様に、引用発明の「種々のメータ構成パターンの中からユーザーが任意に選択でき」と本件発明１の「ユーザによって１種類の待ち受け画面を選択させる第一の選択機能」とは、「ユーザによって１種類の画面を選択させる第一の選択機能」という限りにおいて一致し、引用発明の「車両用計器」と本件発明１の「システム」とは、「装置」という限りにおいて一致する。
　
　そうすると、両者には次の一致点、相違点がある。 
［一致点］　
「車両において取得した情報を相互に同一又は類似形状の外郭を有するメーターオブジェクトに表示させる機能を備えた装置であって、 
　車両において取得した情報を表示させる前記メーターオブジェクトを内部に表示可能な領域を複数備え、当該複数の領域内間で異なる種類のメーターオブジェクトを表示する画面を複数備え、当該複数の画面からユーザによって１種類の画面を選択させる第一の選択機能を備える、
装置。」 
　
［相違点］
　本件発明１は、「待ち受け画面」を備える「システム」であって、「当該待ち受け画面内に表示する前記領域の数よりも多い数の種類の前記メーターオブジェクトから前記待ち受け画面内の前記領域内に表示する前記メーターオブジェクトを選択させる第二の選択機能の、二重の選択機能を備える」ものであるのに対し、引用発明は、「車両用計器」であって、「上記メータ構成パターンに表示するメータの目盛り、指針、書体、配色、背景等の各構成要素を選択できる」ものである点。
　
　上記［相違点］について検討する。
　既に示したとおり、引用発明は、「車両用計器」であって、その「車両のスピードメータ、タコメータ、燃料計、水温計等」は、基本的に常時表示されるものである。
　一方、引用発明において、「待ち受け画面」が表示され得るか否かに関して、甲第２号証には、「待ち受け画面」を表示させることは記載されていないし、これを示唆する記載もない。
　また、上記（３−１）イないしエで示した甲３記載事項ないし甲５記載事項は、「待ち受け画面」を備える「システム」や「当該待ち受け画面内に表示する前記領域の数よりも多い数の種類の前記メーターオブジェクトから前記待ち受け画面内の前記領域内に表示する前記メーターオブジェクトを選択させる第二の選択機能の、二重の選択機能を備える」こと（以下、「本件発明１事項」という。）を開示ないし示唆するものではないし、甲第３号証ないし甲第５号証のその余の記載を参照しても、これらの証拠に上記本件発明１特定事項が記載ないし示唆されているとはいえない。
　さらに、令和２年８月１１日付け回答書に添付された参考資料１：米国特許出願公開第２０１０／０３０２０１８号明細書及び参考資料２：米国特許出願公開第２００７／０００６１０１号明細書にも、上記本件発明１事項は記載されていないし、これを示唆する記載もない。
　ゆえに、引用発明における「メータ構成パターン」を「待ち受け画面」に変更する動機付けとなる事由は、甲第２号証ないし甲第５号証や参考資料１、参考資料２の記載を参酌したとしても、存在しないといわざると得ないから、引用発明の構成を、上記［相違点］に係る本件発明１の発明特定事項に変更することは、当業者が容易になし得たこととはいえない。
　
　そして、本件発明１は、本件特許明細書の段落【０００４】に記載された「複数の車両の運転情報を任意に選択でき、選択した運転情報を同時に目視することのできる電子システム及びプログラムを提供する」という課題を解決し、段落【００２２】に記載された「ユーザーは車両にもともと搭載されているメーター以外から複数の車両の運転情報を同時にかつ任意に得ることができるため、ユーザーの所望に応じた精密な車両の運転状態を判断する指標が得られることとなる」という格別の効果を奏するものである。
　
　したがって、本件発明１は、引用発明、甲３記載事項ないし甲５記載事項、参考文献１及び参考文献２に記載された事項に基いて、当業者が容易に発明をすることできたものであるとはいえない。 
　
イ　本件発明２ないし８について  
　本件発明２ないし８は、本件発明１の発明特定事項の全てを発明特定事項とし、さらに、技術的な限定を加える事項を発明特定事項として備えるものであるから、上記本件発明１についての判断と同様の理由により、引用発明、甲３記載事項ないし甲５記載事項、参考文献１及び参考文献２に記載された事項に基いて、当業者が容易に発明をすることできたものであるとはいえない。
　
ウ．小括
　したがって、本件発明１ないし８に係る特許は、特許法第２９条第２項の規定に違反してされたものではないから、同法第１１３条第２号の規定に該当することを理由に取り消されるべきものとすることはできない。
　
４．取消理由通知において採用しなかった特許異議申立理由について
　異議申立人は、特許異議申立書において、甲第１号証：特開２００９−１５４６４７号には、「Ａ：各種測定装置８５で取得した情報を、スピードメータ等の画像として表示させる機能を備えたシステムであって、Ｂ：車両において取得したスピード等の情報を表示させるスピードメータ等を内部に表示可能な相互に同一又は類似形状の画面３１〜３３を画定する枠を複数備え、Ｅ：ワイド画面３０に表示する２〜５個の画面３１〜３３を画定する枠よりも多い数の種類の画像３０１〜３０７から画像３１〜３３に表示する画像３０１〜３０７を選択させる機能（Ｓ５１〜Ｓ５７）を備えたシステム。」の発明（以下、「甲１発明」という。）が記載されており、本件発明１ないし８は、甲１発明、甲第２号証ないし甲第５号証に記載された事項に基いて、当業者が容易に発明をすることができたものである旨を主張する。
　しかしながら、甲第１号証にも、上記本件発明１事項は記載されていないし、これを示唆する記載もないから、たとえ、甲第１号証に上記甲１発明が記載されているとしても、本件発明１ないし８は、甲１発明、甲第２号証ないし甲第５号証に記載された事項に基いて、当業者が容易に発明をすることができたものであるとはいえない。
　したがって、上記主張は、当を得たものではなく、採用できない。
　
第４　結語  
　以上のとおりであるから、本件発明１ないし８に係る特許は、取消理由通知に記載した取消理由及び特許異議申立書に記載した特許異議申立理由によっては、取り消すことができず、また、他に本件発明１ないし８に係る特許を取り消すべき理由を発見しない。
　したがって、結論のとおり決定する。
【異議決定日】
令和２年１０月１日（２０２０．１０．１）
【訂正の要旨】
審決（決定）の【理由】欄参照。
（５７）【特許請求の範囲】
　【請求項１】
　車両において取得した情報を
相互に同一又は類似形状の外郭を有するメーター
　車両において取得した情報を表示させる
前記
領域
領域
前記
　当該待ち受け画面内に表示する前記
領域
前記
前記領域
　を特徴とするシステム。
　【請求項２】
　前記メーターオブジェクトとして、当該メーターオブジェクト１つで複数の取得した情報を表示させるメーターオブジェクトを備えること
　を特徴とする請求項１に記載のシステム。
　【請求項３】
　前記メーターオブジェクトとして、当該メーターオブジェクトの内部領域を上下に二分割して表示するメーターオブジェクトを備えること
　を特徴とする請求項１または２に記載のシステム。
　【請求項４】
　前記メーターオブジェクトとして、扇状の窓孔状の表示部を備え、当該扇状の周方向に沿って小さく分割された小扇状形状の指標オブジェクトを取得した情報の変化に応じて増減させることで背景に対して色の異なる面積を変化させるよう変動表示をさせるメーターオブジェクトを備えること
　を特徴とする請求項１から３のいずれかに記載のシステム。
　【請求項５】
　前記メーターオブジェクトとして、取得した情報に基づいて所定の距離の変化とその間の燃費の変化の２つの情報について数値として変動表示をさせるためのメーターオブジェクトを備えること
　を特徴とする請求項１から４のいずれかに記載のシステム。
　【請求項６】
　前記複数の種類の待ち受け画面として、取得した現在の情報をその項目名と数値の組で表示し前記メーターオブジェクトの表示はしない待ち受け画面と、前記メーターオブジェクトを有する待ち受け画面とを備えること
　を特徴とする請求項１から５のいずれかに記載のシステム。
　【請求項７】
　前記複数の種類の待ち受け画面として、取得した現在の情報をグラフで表示する待ち受け画面と、前記メーターオブジェクトを有する待ち受け画面とを備えること
　を特徴とする請求項１から６のいずれかに記載のシステム。
　【請求項８】
　請求項１から７のいずれかに記載のシステムの機能をコンピュータに実現させるためのプログラム。